(57)【特許請求の範囲】
【請求項１】
スイッチケーシングに支持される垂直の揺動中心軸により水平揺動可能な揺動ホルダと、該揺動ホルダに形成した筒状部内に挿入され、該筒状部の奥端の中央に向って上方及び下方から傾斜する傾斜面に先端部を弾接し、前記揺動ホルダに設けた水平の揺動中心軸により上下方向に揺動して、該先端部を前記傾斜面に沿って移動できるようにするとともに、該傾斜面の谷部により中立位置に保持される操作レバーとを備え、該操作レバーによりフロントウォッシャスイッチ及びリヤウォッシャスイッチを切り替え操作するようにしたウォッシャスイッチにおいて、
前記操作レバーに設けて前記揺動ホルダから突出させた押圧突部に弾接するとともに、該揺動ホルダに直交させて配設した板バネ製の可動接点と、
前記操作レバーが前記中立位置に保持されたときの位置の可動接点を挟んで対向させたフロントウォッシャスイッチの固定接点と、リヤウォッシャスイッチの固定接点とからなり、
操作レバーの揺動による押圧若しくは押圧解除により前記可動接点を前記フロントウォッシャスイッチの固定接点若しくは前記リヤウォッシャスイッチの固定接点に接触させるようにしたことを特徴とするウォッシャスイッチ。
【発明の詳細な説明】
【０００１】
【発明の属する技術分野】
本発明は車両用のウォッシャスイッチに関するものである。
【０００２】
【従来の技術】
車両用のフロント及びリヤウォッシャスイッチは、操作レバーやプッシュボタン等により操作される。
【０００３】
【発明が解決しようとする課題】
しかしながら、フロントウォッシャスイッチ及びリヤウォッシャスイッチは、それぞれ独立した構成になっていた。従って、各スイッチについて固定及び可動接点、接点圧バネ及びコンタクトホルダ等が必要となり、コスト低減の妨げとなる。本発明は上記に鑑みてなされたもので、フロントウォッシャスイッチとリヤウォッシャスイッチの部品の共通化及び省略化を図り、同一操作レバーで操作できるようにして、コストの低減を可能にしたウォッシャスイッチを提供することを目的とする。
【０００４】
【課題を解決するための手段】
上記目的を達成するための請求項１に記載される本発明のウォッシャスイッチは、スイッチケーシングに支持される垂直の揺動中心軸により水平揺動可能な揺動ホルダと、該揺動ホルダに形成した筒状部内に挿入され、該筒状部の奥端の中央に向って上方及び下方から傾斜する傾斜面に先端部を弾接し、前記揺動ホルダに設けた水平の揺動中心軸により上下方向に揺動して、該先端部を前記傾斜面に沿って移動できるようにするとともに、該傾斜面の谷部により中立位置に保持される操作レバーとを備え、該操作レバーによりフロントウォッシャスイッチ及びリヤウォッシャスイッチを切り替え操作するようにしたウォッシャスイッチにおいて、前記操作レバーに設けて前記揺動ホルダから突出させた押圧突部に弾接するとともに、該揺動ホルダに直交させて配設した板バネ製の可動接点と、前記操作レバーが前記中立位置に保持されたときの位置の可動接点を挟んで対向させたフロントウォッシャスイッチの固定接点と、リヤウォッシャスイッチの固定接点とからなり、操作レバーの揺動による押圧若しくは押圧解除により前記可動接点を前記フロントウォッシャスイッチの固定接点若しくは前記リヤウォッシャスイッチの固定接点に接触させるようにしたことを特徴とする。
【０００５】
【発明の作用及び効果】
上記構成のウォッシャスイッチによれば、揺動ホルダに形成した筒状部内に操作レバーを挿入し、先端部を筒状部の奥端の中央に向って上方及び下方から傾斜する傾斜面に弾接させる。そして、操作レバーを揺動ホルダに設けた水平の揺動中心軸により上下方向に揺動させて、先端部を傾斜面に沿って移動させるとともに、該傾斜面の谷部により中立位置に保持する。中立位置に保持された操作レバーは、押圧突部により揺動ホルダに直交させて配設した板バネ製の可動接点を押圧して、該可動接点を対向するフロントウォッシャスイッチの固定接点とリヤウォッシャスイッチの固定接点の中間位置に保持している。操作レバーを揺動させて可動接点を押圧したり押圧を解除すると、可動接点がフロントウォッシャスイッチの固定接点若しくはリヤウォッシャスイッチの固定接点に接触して、各スイッチ回路を交互に閉成する。従って、可動接点を共通化するとともに、可動接点を板バネ製とすることにより、接点圧バネやコンタクトホルダが省略できるばかりでなく、全体構成が簡単になりコスト低減を図ることができる効果がある。
また、可動接点を揺動ホルダに直交させて配設したから、操作レバーを水平方向に揺動しても、押圧突部が可動接点を押圧でき、操作レバーを水平方向に操作した状態で、フロント及びリヤウォッシャスイッチを操作可能とするウォッシャスイッチのスイッチ構成を簡単にすることができる。
【０００６】
【発明の実施の形態】
本発明の実施の形態を添付図面を参照して説明する。図１は本発明に係るウォッシャスイッチ１の中央部の断面図、図２は図１に於けるＡ−Ａ線断面図である。スイッチケーシング２内には、揺動ホルダ３が設けられている。揺動ホルダ３には、基端部の上面及び下面から垂直方向に揺動中心軸４が突成され、スイッチケーシング２に軸承されている。揺動ホルダ３の先端には、節度バネ５に付勢された節度ボール６が、スイッチケーシング２の節度壁７の節度谷８に係合している。そして、先端部下面には接点圧バネ９に付勢された可動コンタクト１０が配置されている。該可動コンタクト１０は、スイッチケーシング２に配置された固定接点１１とともに、フロントワイパースイッチ１２を構成している。
【０００７】
上記揺動ホルダ３には、基端部から先端に向かって筒状部１３が形成されている。筒状部１３の奥端には、該奥端の中央に向かって上方及び下方から傾斜する傾斜面１４ａ，１４ｂが形成されている。筒状部１３内には、操作レバー１５が挿入されている。そして、両側から水平方向に揺動中心軸１６が突成され、揺動ホルダ３に軸承されている。操作レバー１５の先端には、節度バネ１７に付勢された節度ボール１８が、傾斜面１４ａ，１４ｂにより形成された谷部に係合している。操作レバー１５の下面には押圧突部１９が形成され、揺動ホルダ３の下面に形成した開口２０からスイッチケーシング２内に突出している。
【０００８】
揺動ホルダ３の下面には、該揺動ホルダ３と直交させた板バネ製の可動接点２１が配置されている。該可動接点２１の一端は、スイッチケーシング２の一側部に固定されて片持ち状に支持されている。スイッチケーシング２の他側部には、フロントウォッシャスイッチの固定接点２２とリヤウォッシャスイッチの固定接点２３が上下で対向させて配置されている。可動接点２１の自由端は、上記固定接点２２，２３間まで延長されている。可動接点２１は、固定部近傍で屈曲させてバネ弾力を付与し、自由端が上方に撓むようにしている。そして、可動接点２１の中間部は、中立位置に保持される操作レバー１５の押圧突部１９に押圧されて、自由端の接点部２１ａが上記固定接点２２，２３の中間に位置するようになっている。
【０００９】
上記構成のウォッシャスイッチ１は、操作レバー１５を水平方向に揺動させると、揺動ホルダ３が揺動して隣の節度谷８に移って保持され、フロントワイパースイッチ１２を切り替える。また、操作レバー１５を引き上げると、先端方が揺動ホルダ３内で下がり、押圧突部１９に中間部を押圧されて撓む可動接点２１の自由端の接点部２１ａが、フロントウォッシャスイッチの固定接点２３に接触して、フロントウォッシャ回路が閉成される。また、操作レバー１５を押し下げると先端方が上がって、可動接点２１は押圧突部１９による中間部の押圧が解除される。これにより、可動接点２１はバネ弾力により上方に撓んでリヤウォッシャスイッチの固定接点２２に接触して、リヤウォッシャ回路が閉成される。
【００１０】
上記フロント及びリヤウォッシャスイッチは、操作レバー１５を水平方向に揺動した状態でも操作できる。このとき、操作レバー１５の先端の節度ボール１８は、揺動ホルダ３の筒状部１３の奥端の傾斜面１４ａ，１４ｂに弾力的に当接しているから、手を放すと操作レバー１５は中立位置に自動復帰する。
【００１１】
上記のように、揺動ホルダ３に形成した筒状部１３内に操作レバー１５を挿入し、先端部を筒状部１３の奥端の中央に向って上方及び下方から傾斜する傾斜面１４ａ，１４ｂに弾接させ、該操作レバー１５を揺動ホルダ３に設けた水平の揺動中心軸１６により上下方向に揺動させて、先端部を傾斜面１４ａ，１４ｂに沿って移動させるとともに、該傾斜面１４ａ，１４ｂの谷部により中立位置に保持する構成にしたから、筒状部１３内に形成する操作レバー１５を中立位置に保持するための傾斜面１４ａ，１４ｂを、筒状部１３の奥端の中央に向って上方及び下方から傾斜する簡単な形状とすることができる。
【００１２】
また、本発明のウォッシャスイッチ１は、フロントウォッシャスイッチの固定接点２３とリヤウォッシャスイッチの固定接点２２に対する可動接点２１を共通化するとともに、該可動接点２１を板バネ製とすることにより、接点圧バネやコンタクトホルダが省略できるばかりでなく、全体構成が簡単になりコスト低減を図ることができる
【００１３】
さらに、可動接点２１を揺動ホルダ３に直交させて配設したから、操作レバー１５を水平方向に揺動しても、押圧突部１９が可動接点２１を押圧でき、操作レバー１５を水平方向に操作した状態で、フロント及びリヤウォッシャスイッチを操作可能とするウォッシャスイッチ１のスイッチ構成を簡単にすることができる。
【図面の簡単な説明】
【図１】  本発明に係るウォッシャスイッチ１の中央部の断面図である。
【図２】  図１に於けるＡ−Ａ線断面図である。
【符号の説明】
１...ウォッシャスイッチ
２...スイッチケーシング
３…揺動ホルダ
４，１６...揺動中心軸
１３…筒状部
１４ａ，１４ｂ…傾斜面
１５...操作レバー
１７…節度バネ
１８…節度ボール
１９...押圧突部
２１...可動接点
２２，２３...固定接点
【図１】
0003789964.tif 000002
【図２】
0003789964.tif 000003